(57)【要約】 【課題】リンダー錠に対する切削手段等の工具による攻撃から守る扉用錠前を提案すること。特に、リンダー錠の引き抜き防止。【解決手段】扉に固定される筒状ハウジングと、このハウジングに固定的に内装されるシリンダー錠とから成る扉用錠前に於いて、前記ハウジングに連続する複数個の嵌合部を形成し、該嵌合部の一つは、ハウジングの後端部の端部に段差状に形成され、かつ、シリンダー錠用引き抜き防止板が嵌合する第１嵌合部分と、該第１嵌合部分に連通しかつシリンダー錠の外筒が嵌着する第２嵌合部分とを有し、前記引き抜き防止板は、シリンダー錠に固定手段を介して固定され、かつ、前記段差状の垂直内周面に係止されること。【選択図】  図１
2006022598.tif 000002
【特許請求の範囲】
【請求項１】
扉に固定される筒状ハウジングと、このハウジングに固定的に内装されるシリンダー錠とから成る扉用錠前に於いて、前記ハウジングに連続する複数個の嵌合部を形成し、該嵌合部の一つは、ハウジングの後端部の端部に段差状に形成され、かつ、シリンダー錠用引き抜き防止板が嵌合する第１嵌合部分と、該第１嵌合部分に連通しかつシリンダー錠の外筒が嵌着する第２嵌合部分とを有し、前記引き抜き防止板は、シリンダー錠に固定手段を介して固定され、かつ、前記段差状の垂直内周面に係止されることを特徴とする扉用錠前。
【請求項２】
請求項１に於いて、第１の嵌合部分１９は、環状の後ろ向き大径凹所であり、一方、引き抜き防止板は、内筒の駆動軸に固定され、かつ、段差状の垂直内周面に係止される環状の係止板２０であることを特徴とする扉用錠前。
【請求項３】
請求項１に於いて、ハウジングの先端部には、環状支持壁１６を有する環状の横向き凹所１５が形成され、該横向き凹所１５に、シリンダー錠用保護部材７が密着状態に嵌合していることを特徴とする扉用錠前。
【発明の詳細な説明】
【技術分野】
【０００１】
本発明は、扉用錠前に関し、特にシリンダー錠に対する切削手段、引き抜き手段等の工具による攻撃から守る扉用錠前に関する。
【背景技術】
【０００２】
特許文献１には、鍵孔手前側から強引にドリル等を挿入し、各構成要素を削りばらばらに分解し、鍵として無力化してしまう悪質な不正解錠に対して十分対抗可能なシリンダー錠が提案され、「外筒と、該外筒の嵌合孔に回動可能に挿着された内筒と、外筒及び内筒に組み込まれた複数組の障害子と、前記内筒に一体的に設けられた連結手段（駆動軸）とを備えたシリンダー錠の構成」が開示されている。
【０００３】
前記シリンダー錠は、「内筒にピン孔と重ならない位置で鍵孔に向けて超硬合金製前後長手のガイドバーが僅かに突出されていることを特徴とする」ものであるが、泥棒が用いるドリル、引き抜き工具により、シリンダー錠そのものが、扉から引き抜かれるという問題点がある。
【特許文献１】特開公開２００４−６０４２４号公報
【発明の開示】
【発明が解決しようとする課題】
【０００４】
本発明の主たる目的は、悪質な不正解錠に対しても十分対抗可能な錠前を提案すること。また本発明の目的は、シリンダー錠の先端部が露呈しても、引き抜き工具により、シリンダー錠そのものを、扉に固定されたハウジングから容易に引き抜かれないようにすること。また本発明の目的は、部品点数を少なく、簡単にシリンダー錠に固定することができることである。
【課題を解決するための手段】
【０００５】
本発明の扉用錠前は、扉に固定されるシリンダーの筒状ハウジングと、このハウジングに固定的に内装されるシリンダー錠とから成る扉用錠前に於いて、前記ハウジングに連続する複数個の嵌合部を形成し、該嵌合部の一つは、ハウジングの後端部の端部に段差状に形成され、かつ、シリンダー錠用引き抜き防止板が嵌合する第１嵌合部分と、該第１嵌合部分に連通しかつシリンダー錠の外筒が嵌着する第２嵌合部分とを有し、前記引き抜き防止板は、シリンダー錠に固定手段を介して固定され、かつ、前記段差状の垂直内周面に係止されることを特徴とする。
【０００６】
上記構成に於いて、第１嵌合部分１９は、環状の後ろ向き大径凹所であり、一方、引き抜き防止板は、段差状の垂直内周面に係止される環状の係止板２０であることを特徴とする。また、ハウジングの先端部には、環状支持壁１６を有する環状の横向き凹所１５が形成され、該横向き凹所１５に、シリンダー錠用保護部材７が密着状態に嵌合していることを特徴とする。
【０００７】
ここで、「ハウジング」とは、シリンダー錠を直接又は間接的に包む部材をいう。
【発明の効果】
【０００８】
（１）図１１は、本発明の特徴を示す概略説明図（設計図の寸法に従ったものではない。）である。この図１１を参照にして、本発明の効果である引き抜き防止機能を説明する。
【０００９】
今、泥棒が不正解錠をするために、図示しないドリルでシリンダー錠２を攻撃したとする。そして、仮に化粧リング８の前面を切削し、保護部材７を工具３５で引き抜き、しかも、ハウジング４の環状支持壁１６までも削り取ったとする。今までの扉用錠前では、この段階で、工具３５で内筒２５の先端部２５ａを挟持し、引き抜こうとすれば、容易にシリンダー錠２を引き抜くことが可能である。
【００１０】
しかし、本発明の扉用錠前Ｘのシリンダー錠２は、固定手段３１と一体又は別体の係止板２０が駆動軸２６の突出部分２６ａに一体的に設けられており、しかも、該係止板２０の直径寸法Ｌ１は、外筒２３の直径寸法Ｌよりも大きいので、ハウジング４の大嵌合部１８の第１嵌合部分１９に嵌合しているリング状の係止板２０の周縁部２０ａが、前述したように第１嵌合部分１９の環状の垂直内周面１９ａに面接触状態に当たる。したがって、工具３５でシリンダー錠２をハウジング４から容易に引き抜くことができない。
【００１１】
（２）請求項２に記載の発明は、シリンダー錠を加工しなくても、簡単に内筒の駆動軸に固定することができると共に、引き抜き防止機能の効果を十分に発揮することができる。
【００１２】
（３）請求項３に記載の発明は、引き抜き防止機能を前提として、不正解錠対策を十分に図ることができる。
【発明を実施するための最良の形態】
【００１３】
以下、図１乃至図１１に示す本発明の扉用錠前Ｘを実施するための最良の形態により説明する。
【００１４】
（１）全体の環境
図１及び図２を参照にして扉用錠前Ｘの全体の環境を説明する。１は建具の扉で、この扉１には扉用錠前Ｘが取付けられ、該扉１は水平方向に開閉する。図１を基準にすると、１ａは扉の外壁面、１ｂは内壁面である。周知のように外壁面１ａにシリンダー錠２、一方、内壁面１ｂにサムターン３がそれぞれ取り付けられ、これらの駆動力（操作力）は、扉１の自由端部の開口部に内装された錠箱の錠構成部材（例えば、ダルマ、係止レバー、駆動カムなど）に伝達される。
【００１５】
４は扉１の外壁面に固定的に取り付けられたシリンダー錠用ハウジングで、このハウジング４は、例えば外座の機能を有し、サムターン３側の内座５と固着具６を介して一体的に連結される。
【００１６】
７はシリンダー錠２の前面をカバーする保護部材で、この保護部材７は、シリンダー錠２の内筒の突出部分の一部に外嵌合する。保護部材７は超硬合金製であり、その前面がややすり鉢状に形成されている。
【００１７】
８はハウジング４を包む化粧リングで、この化粧リングは、例えば前記薄型の筒状の保護部材７をハウジング４の前面に密着するようにシリンダー錠２の内筒の突出部分に外嵌合した後に、第２固着具９を介してハウジング４に一体的に結合する。以下、本発明の特定要件に関係がある構成部材について説明する。
【００１８】
（２）ハウジング４
図３ないし図５を参照にして筒状のハウジング４を説明する。１１は後端部寄りの部位或いは中央部に周設された鍔部で、この鍔部１１には、第２固着具９用の複数個（例えば６個）の貫通孔１２が所定間隔を有して形成されている。ここでは、鍔部１１を基準にハウジングの先端部１３と後端部１４に区別する。
【００１９】
ハウジング４は、後端部１４の端面から先端部１３の端面まで互いに軸芯方向に連通する複数個の嵌合孔を有し、これらの断面形状や半径は相違する（例えば図４、図５参照）。
【００２０】
シリンダー錠２は、後端部１４の端面から嵌合孔に差し込まれる（挿着）が、ここでは、先端部１３側から説明する。
【００２１】
まず１５は、先端部１３の前面に環状に形成された横向き凹所で、この横向き凹所１５に前述した保護部材７が密着状態に嵌合する。１６は中央部にやや小さめの小嵌合孔１７を有する環状支持壁で、この環状支持壁１６の内壁面にシリンダー錠２の外筒の先端面が当たるように内筒の突出部分が小嵌合孔１７に貫通状態に嵌合する。
【００２２】
次に１８は小嵌合部（小嵌合孔）１７に連通するように後端部１４の後面から環状支持壁１６の内壁面まで形成された大きめの大嵌合部で、この大嵌合部１８は、二つの嵌合部分に区別することができる。
【００２３】
すなわち、第１の嵌合部分１９は、図３、図４で示すように後端部１４の端部に段差状に形成された環状の後ろ向き大径凹所で、この第１嵌合部分１９内に図８で示すような環状の係止板２０が嵌合する。この係止板２０の外周縁部が第１嵌合部分１９の環状の垂直内周面１９ａに面接触状態で係合する（図３、図１１参照）。
係止板２０は、後述するようにシリンダー錠２の後端部に一体的に取り付けられ、本発明の目的（シリンダー錠の引き抜き防止）を達成する。
【００２４】
第２の嵌合部分２１は、第１嵌合部分１９から環状支持壁１６まで形成された断面鍵穴形状（図５で示す形状）で、この第２嵌合部分２１には、シリンダー錠２の外筒２３が嵌着する。この第２嵌合部分２１は、本実施例のシリンダー錠２の外筒２３の外観形状に対応する。
【００２５】
したがって、第２嵌合部分２１は、断面円形状の小径孔２１ａと、この小径孔２１ａに軸方向に長手状に連通する断面凹状の嵌合溝２１ｂとから成る。小径孔２１ａには外筒２３の円筒状部分２３ａが嵌合し、一方、嵌合溝２１ｂには外筒の外周壁の一部に長手方向に突出する長板或いはブロック状部分が嵌合する。
【００２６】
（３）シリンダー錠２
図６ないし図１０を参照にしてハウジング４内に固定的に内装されたシリンダー錠２を説明する。シリンダー錠２の基本的な構成部材は、外筒２３と、この外筒２３の中心部に軸芯方向に形成された嵌合孔２４に所定量回動可能に挿着される内筒２５と、この内筒２５に固着手段を介して、又は該内筒を一体的に形成され、かつ、突出後端部に「テールピース」と称される駆動突片２７を有する円柱状の駆動軸２６とから成る。
【００２７】
特に図示しないが、外筒２３及び内筒２５には、それぞれ障害子（ボトムピン、ドライバーピン、スプリング）を組み込むためのピン孔がそれぞれ半径方向に形成されている。      
【００２８】
障害子は、多数の鍵違いを得るために、外筒２３および内筒２５の軸（長手）方向に所定間隔を有して複数組配設され、普通一般に、合鍵の挿入により、各障害子が半径方向にそれぞれ移動して、いわゆる内筒２５の外周面を基準とするシャーラインに揃うと、内筒２５を合鍵の操作により解錠方向へ回動することができるが知られている。なお、シリンダー錠２の内部構造は、本発明の限定要件ではないので、説明を割愛する。
【００２９】
ところで、シリンダー錠２の外筒２３は、ハウジング４の第２嵌合部分２１の小径孔２１ａに嵌着する円筒状部分２３ａと、この円筒状部分２３ａの外周壁に連設し、かつ、第２嵌合部分２１の嵌合溝２１ｂに嵌合する突起の長板状部分２３ｂとを有する（図６参照）。
【００３０】
また、シリンダー錠２の内筒２５は、外筒２３の嵌合孔２４に差し込むようにして外筒２３に挿着されるが、本実施例の内筒２５のフランジ状先端部分２５ａは、外筒２３の先端面から突出し、一方、内筒２５の駆動軸２６の一部は、外筒２３の後端面から多少突出する。先端部分２５ａはハウジング４の環状支持壁１６の小嵌合部（小嵌合孔）１７を貫通し、貫通した部分に保護部材７が嵌着している（図１参照）。
【００３１】
（４）引き抜き防止板２０
引き抜き防止板２０としての一例は、環状の係止板である。シリンダー錠２の外筒２３よりも大径の係止板２０は、本実施例では、図８で示すように環状に形成された硬質のリングで、「テールリング」と称すべき該係止板２０は、前述した内筒２６の駆動軸２６の円柱状突出部分２６ａに外嵌合するように嵌着し、かつ、固定手段（止め輪、ナットなど）３１で駆動軸２６から外れないように支持されている。前記固定手段３１は、止め輪の場合を用いるケースは、突出部分２６ａに周溝を形成し、一方、ナットを用いるケースは、突出部分２６ａにオネジを形成する。
【実施例】
【００３２】
本発明の第１実施例に於いて、ハウジング４の第１嵌合部分１９に嵌合する係止板２０は、シリンダー錠の内筒（例えば駆動軸の突出部分）に固定される環状リングである旨を説図したが、本発明の目的を達成することができる限り、例えばシリンダー錠の外筒（例えば外筒の後端部の端面）に固定手段を介して固定しても良い。後者の場合は、内筒が外筒から容易に抜けないシリンダー錠に適合する。
【産業上の利用可能性】
【００３３】
本発明は、主に建具や錠前の業界で利用される。
【図面の簡単な説明】
【００３４】
図１乃至図１１は本発明の最良の実施例を示す各説明図。
【図１】本発明の実施形態の一例を示す一部概略断面説明図。
【図２】扉の正面視からの説明図。
【図３】要部（ハウジング）の概略断面説明図。
【図４】図３の４−４線断面説明図。
【図５】図３の５−５線断面説明図。
【図６】要部（シリンダー錠）の概略説明図。
【図７】図６を基準とした右側面からの概略説明図。
【図８】要部（引き抜き防止板）の概略説明図。
【図９】先端部側から見たシリンダー錠と引き抜き防止板と固定手段の説明図。
【図１０】テールピース側から見たシリンダー錠と引き抜き防止板と固定手段の説明図。
【図１１】本発明の効果を示す説明図。
【符号の説明】
【００３５】
１…扉、２…シリンダー錠、３…サムターン、４…ハウジング、５…内座、６…固着具、７…保護部材、８…化粧リング、９…第２固着具、１１…鍔部、１２…貫通孔、１３…先端部、１４…後端部、１５…横向き凹所、１６…環状支持壁、１７…小嵌合部、１８…大嵌合部、１９…第１の嵌合部分、２０…引き抜き防止板（係止板）、２１…第２嵌合部分、２３…外筒、２４…嵌合孔、２５…内筒、２６…駆動軸、２７…駆動突片、３１…固定手段、３５…工具。
【図１】
2006022598.tif 000003
【図２】
2006022598.tif 000004
【図３】
2006022598.tif 000005
【図４】
2006022598.tif 000006
【図５】
2006022598.tif 000007
【図６】
2006022598.tif 000008
【図７】
2006022598.tif 000009
【図８】
2006022598.tif 000010
【図９】
2006022598.tif 000011
【図１０】
2006022598.tif 000012
【図１１】
2006022598.tif 000013